(57)【要約】      （修正有）【課題】簡単堅牢で安価な構造により地震、外部振動等による振動をある程度吸収緩衝して、テレビ本体が転倒するのを確実に防止する載置テレビ転倒防止装置を提供する。【解決手段】載置台６００の薄型テレビ本体ＴＶの載置支持部６００Ｓの後方中央部近傍に装着するスタンド基部１００と、該スタンド基部１００に下部を着脱可能に且つ回転可能に装着し本体を薄型テレビ本体ＴＶの後面中央部に沿ってＶ型に開脚して立てる一対のスタンドポール２００−１、２００−２と、該スタンドポール２００−１、２００−２の各々の上部にその長手方向に移動可能に装着し薄型テレビ本体ＴＶの後面左右の支持連結部ＴＶ１、ＴＶ２に螺合接続するＴＶ連結具３００とから構成した。載置台６００へのスタンド基部１００の装着手段を、弾性吸盤、回転円座、磁石座、両面接着テープのいずれかひとつ又は二つ以上の組み合わせとしたことを特徴とする。【選択図】図１
0003174319.tif 000002
【実用新案登録請求の範囲】
【請求項１】
載置台６００に薄型テレビ本体ＴＶを載置支持する際に用いる装置であって、前記載置台６００の薄型テレビ本体ＴＶの載置支持部６００Ｓの後方中央部近傍に装着するスタンド基部１００と、前記スタンド基部１００に下部を着脱可能に且つ回転可能に装着し本体を薄型テレビ本体ＴＶの後面中央部に沿ってＶ型に開脚して立てる一対のスタンドポール２００−１、２００−２と、前記スタンドポール２００−１、２００−２の各々の上部にその長手方向に移動可能に装着し薄型テレビ本体ＴＶの後面左右の支持連結部ＴＶ１、ＴＶ２に螺合接続するＴＶ連結具３００とから構成した載置テレビ転倒防止装置。
【請求項２】
載置台６００へのスタンド基部１００の装着手段を、弾性吸盤、回転円座、磁石座、両面接着テープのいずれかひとつ又は二つ以上の組み合わせとしたことを特徴とする請求項１に記載の載置テレビ転倒防止装置。
【考案の詳細な説明】
【技術分野】
【０００１】  本考案は、机、専用ラック、棚等の載置台の上に載置した薄型テレビ用に開発した、組み立て解体および組み立て前のセット揃えが誰でも簡単容易にできしかも堅牢安価な転倒防止装置に関するものである。
【背景技術】
【０００２】  最近の薄型テレビは、インテリアディスプレイとして視覚的及び聴覚的に優れた機能を付加して次のような仕様の趨勢にある。
１．テレビ画面の薄型化に伴う大型の液晶表示画面化。
２．テレビ画面以外の構成部：チューナ、レコーダ等は裏面側に薄く一体的にコンパクト収容。
３．１と２によりテレビ本体の重量増加。
４．スタンド脚部は上部を細くし薄型テレビの中央部に位置させ底部を末広がりにした目立たない不安定型。
５．テレビ画面部を含むテレビ本体と、支持脚との形状及び重量の不均衡状態化。
６．設置施設、部屋の種類や設置位置などに応じた多種多様のサイズ構成。【０００３】  このような趨勢から薄型テレビ本体を机、専用ラック、棚等の載置台の上に載置する際は、特に地震等による大きな振動を受けたり、児童やお年寄りがうっかり接触しても転倒しないように転倒防止装置（器具）を付設している。【０００４】  従来の薄型テレビ用の転倒防止装置（器具）は、次のようなものが公知である。
１）、スタンド脚部を載置台にアンカーネジで連結固定し、テレビ本体の上部と載置台の後部をワイヤー連結して前面倒壊を防止する方法。
２）、載置台とテレビ本体に亘る多数本の縦・横チャンネルで組み立て構成した大型で重量のある堅牢な耐震用ラック取り付け金具。
３）、スタンド脚部の両側部を伸縮ベルトで載置台に連結支持する方法。【０００５】  これ等は何れも、インテリアディスプレイとして視覚的に見栄えが悪く、また、テレビを移動設置する際、その都度、繁雑で面倒な解体・組み立て作業を必要とする。
また、いずれにおいても載置台に固定された専用の構成なので、テレビの多種多様な形状仕様の変化に対処できない不便さがある。
更に、テレビ画面の方向変更は、載置台と共に位置変更しなければならない不便さがある。
【考案の概要】
【考案が解決しようとする課題】
【０００６】  本考案は、○簡易堅牢で安価な構造により地震、外部振動等による振動をある程度吸収緩衝して、薄型テレビ本体が転倒するのを確実に防止するものであり、○しかもインテリアディスプレイとして視覚的に見栄えが良く、○またテレビ本体を移動設置する際は、その都度、容易に解体・組み立て作業ができ、○またテレビの多種多様な形状仕様の変化に対処できる汎用性と簡便さを有し、○更にテレビ画面の方向の変更は容易に実施できる等の優れた機能を有する載置テレビ転倒防止装置を提供する。
【課題を解決するための手段】
【０００７】  本考案は上記の課題を満足するものでありその特徴とするところは図１〜図７に示すように、次の（１）〜（２）の通りである。
（１）、載置台６００に薄型テレビ本体ＴＶを載置支持する際に用いる装置であって、前記載置台６００の薄型テレビ本体ＴＶの載置支持部６００Ｓの後方中央部近傍に装着するスタンド基部１００と、前記スタンド基部１００に下部を着脱可能に且つ回転可能に装着し本体を薄型テレビ本体ＴＶの後面中央部に沿ってＶ型に開脚して立てる一対のスタンドポール２００−１、２００−２と、前記スタンドポール２００−１、２００−２の各々の上部にその長手方向に移動可能に装着し薄型テレビ本体ＴＶの後面左右の支持連結部ＴＶ１、ＴＶ２に螺合接続するＴＶ連結具３００とから構成した載置テレビ転倒防止装置。【０００８】（２）、載置台６００へのスタンド基部１００の装着手段を、弾性吸盤、回転円座、磁石座、クイックジョイント、両面接着テープのいずれかひとつ又は二つ以上の組み合わせとしたことを特徴とする前記（１）に記載の載置テレビ転倒防止装置。
【考案の効果】
【０００９】  本考案の載置テレビ転倒防止装置は、前記（１）と（２）に記載の構成にした簡単で軽量堅牢な構造により地震、外部振動等による振動をある程度吸収緩衝して、テレビ本体が転倒するのを確実に防止し、しかもインテリアディスプレイとして視覚的に優れ、またテレビ本体を移動設置する際は、その都度、テレビと共に容易に取り外し・取り付け作業ができ、またテレビの多種多様な形状仕様の変化に対処できる汎用性と簡便さを有し、更にテレビ画面の方向の変更は載置台を動かさずに、スタンドポールを回転させるのみで変更することができる他にスタンド基部１００を載置台６００上で回転させて変更することができる等の優れた機能を有するものである。
【図面の簡単な説明】
【００１０】
【図１】本考案の実施例１であり、載置台６００に載置支持した薄型テレビ本体ＴＶの裏側に適用配置した全体組立の正面説明図（１）と、その正面説明図（１）の矢視Ａ−Ａから見た側断面説明図（２）である。
【考案を実施するための形態】
【００１１】  本考案を実施するための一形態を後述の実施例により詳細に説明する。
【実施例１】
【００１２】  載置台６００に薄型テレビ本体ＴＶを載置支持する際に用いる本例の載置テレビ転倒防止装置は、スタンド基部１００と、一対のスタンドポール２００−１、２００−２と、ＴＶ連結具３００とから構成してなり、これら構成部の材質は金属製或いは樹脂製又はこれらの材質を適宜組み合わせたものであり、スタンドポール２００−１、２００−２の成形形状は棒状、パイプ状、ピアノ線状、バネ板状のものでよい。【００１３】  スタンド基部１００は、前記載置台６００の薄型テレビ本体ＴＶの載置支持部６００Ｓの後方中央部近傍に装着する。スタンド基部１００には、ポール支持ブロック１０１を設け、ポール支持ブロック１０１に一対の側方挿入穴１０１−１、１０１−２を設け、側方挿入穴１０１−１、１０１−２には止めネジ１０３を設けある。
載置台６００へのスタンド基部１００の装着手段は後述で紹介する。【００１４】  スタンドポール２００−１、２００−２は、Ｌ型に成形し、その各下部の水平部２０１を側方挿入穴１０１−１、１０１−２に側方挿入してその挿脱と回転を止めネジ１０３により固定して上部本体の鉛直部２０２を薄型テレビ本体ＴＶの後面中央部に沿ってＶ字に上方開脚保持する。【００１５】  ＴＶ連結具３００は、スタンドポール２００−１、２００−２の各々の上部本体２０２をその長手方向に移動可能に挿入して止めネジ３０１により位置固定するポール挿入穴３０２を有し、薄型テレビ本体ＴＶの後面左右の支持連結部ＴＶ１、ＴＶ２に止めネジ３０３により螺合接続する。【００１６】載置台６００へのスタンド基部１００の装着手段は、次の例を適宜採用すれば、転倒防止機能を損なうことなく、テレビ本体を同時に旋回させて、その画面の方向変更を簡便容易にすることができる。
１．弾性吸盤タイプ。
弾性吸盤タイプは、弾性吸盤の基部をスタンド基部１００の下面四隅に装着し、吸盤を載置台６００の上面に吸引吸着させるものであれば良い。この弾性吸盤タイプは、載置台６００から震動や振動を受けると吸盤の内部空気を小出しに排出し吸着力を益々増強して長期間のテレビ保持力を安定維持することができる。
２．回転円座タイプ。
回転円座タイプは、スタンド基部１００の下面と載置台６００の上面の中心部を回転軸で連結し回転角度位置をラチエット付歯車機構により調節するものなどでよい。
３．磁石座タイプ。
磁石座タイプはスタンド基部１００の下面および載置台６００の上面の一方に円形等の磁石を固定装着し他方に鉄などの磁性材円盤を固定装着したものであればよい。
４．両面接着テープタイプ。
両面接着テープタイプはスタンド基部１００下面四隅又は全面に両面接着テープの上面を貼着し、両面接着テープの下面を載置台６００の上面に貼着するものであればよい。【００１７】  以上の実施例で紹介した載置テレビ転倒防止装置は、スタンド基部１００にＶ型に立設したスタンドポール２００−１、２００−２と、このスタンドポール２００−１、２００−２をＴＶ連結具３００により左右均等に薄型テレビ本体ＴＶの後部に連結支承するため、薄型テレビ本体ＴＶが前後・上下・左右に振動しても、柔軟にこれを変位吸収して薄型テレビ本体ＴＶの転倒防止及び破損防止は勿論のこと、載置テレビ転倒防止装置自体の破損も確実に防止するものである。【００１８】  また載置テレビ転倒防止装置は、視覚的に薄型テレビ本体ＴＶの背部にすっぽりスマートに隠れ収まり正面からは見られず、しかも側部からでもスタンドポール２００−１，２００−２が薄型テレビ本体ＴＶの裏面直近に沿って目立たずに位置するだけでディスプレイとしてのスマートさを維持するものである。
更に、本載置テレビ転倒防止装置は、スタンドポール２００−１，２００−２の開脚調整およびＴＶ連結具３００の位置調節とにより、薄型テレビ本体ＴＶの後面左右の多様な支持連結部ＴＶ１、ＴＶ２の位置仕様の変化に柔軟に対処することができるなどの優れた作用効果を呈するものである。
【産業上の利用可能性】
【００１９】  本考案は地震災害に対して前述の優れた効果を有するため、テレビ産業界の生産者は勿論、使用するユーザーにも安心安全を保障するなど多大な貢献をもたらすものである。
【符号の説明】
【００２０】ＴＶ：薄型テレビ本体
ＴＶ１、ＴＶ２：支持連結部（被螺合部：メスネジ部）
１００：スタンド基部
１０１−１、１０１−２：側方挿入穴
１０３：止めネジ
２００−１、２００−２：スタンドポール
３００：ＴＶ連結具
３０１：止めネジ
３０２：ポール挿入穴
３０３：止めネジ
６００：載置台
６００Ｓ：載置支持部
【図１】
0003174319.tif 000003